(57)【要約】【課題】ユーザ間の軋轢を低減しうるＳＮＳサービスを実現する。【解決手段】コンピュータプログラムは、ＳＮＳサーバ４からネットワーク６を介してユーザ端末のウェブブラウザに送信されるコンピュータプログラムである。このコンピュータプログラムは、ログイン画面をユーザ端末のディスプレイに表示させる機能と、ログイン画面に対して入力されたユーザＩＤおよびパスワードを送信する機能と、認証が成功した場合、日記編集画面を表示させる機能と、日記情報の公開範囲が制限されている場合に、日記情報の閲覧が許可されている他のユーザのリストを表示させる機能と、リストに含まれる他のユーザのなかにＳＮＳサーバを使用して提供されるＳＮＳサービスの利用を止めた他のユーザがいる場合、その止めた他のユーザに関する情報を認証されたユーザに通知する機能と、をユーザ端末に実現させる。【選択図】図１
2013084120.tif 000002
【特許請求の範囲】
【請求項１】
ＳＮＳサーバからネットワークを介してユーザ端末のウェブブラウザに送信されるコンピュータプログラムであって、
ユーザＩＤおよびパスワードの入力を促すログイン画面を前記ユーザ端末のディスプレイに表示させる機能と、
ログイン画面に対して入力されたユーザＩＤおよびパスワードを前記ＳＮＳサーバにネットワークを介して送信する機能と、
前記ＳＮＳサーバにおいて送信されたユーザＩＤおよびパスワードの認証が成功した場合、認証されたユーザの日記情報が入力されるべき日記入力領域を含む日記編集画面を前記ディスプレイに表示させる機能と、
前記認証されたユーザが前記日記入力領域に入力された日記情報の公開範囲を制限している場合に、前記日記入力領域に入力された日記情報の閲覧が許可されている他のユーザのリストを前記ディスプレイに表示させる機能と、
前記リストに含まれる他のユーザのなかに前記ＳＮＳサーバを使用して提供されるＳＮＳサービスの利用を止めた他のユーザがいる場合、その止めた他のユーザに関する情報を前記認証されたユーザに通知する機能と、を前記ユーザ端末に実現させることを特徴とするコンピュータプログラム。
【請求項２】
前記通知する機能は、前記止めた他のユーザから取得され前記ＳＮＳサーバに保持されている、前記止めた他のユーザが前記ＳＮＳサービスの利用を止めた理由を示す理由情報を前記認証されたユーザに通知する機能を含むことを特徴とする請求項１に記載のコンピュータプログラム。
【請求項３】
前記通知する機能は、前記止めた他のユーザが、前記ＳＮＳサービス側によって強制的に前記ＳＮＳサービスの利用を止めさせられた他のユーザである場合、その旨を前記認証されたユーザに通知する機能を含むことを特徴とする請求項１または２に記載のコンピュータプログラム。
【請求項４】
ＳＮＳサーバからネットワークを介してユーザ端末のウェブブラウザに送信されるコンピュータプログラムであって、
ユーザＩＤおよびパスワードの入力を促すログイン画面を前記ユーザ端末のディスプレイに表示させる機能と、
ログイン画面に対して入力されたユーザＩＤおよびパスワードを前記ＳＮＳサーバにネットワークを介して送信する機能と、
前記ＳＮＳサーバにおいて送信されたユーザＩＤおよびパスワードの認証が成功した場合、認証されたユーザの日記情報が入力されるべき日記入力領域を含む日記編集画面を前記ディスプレイに表示させる機能と、
前記認証されたユーザが前記日記入力領域に入力された日記情報の公開範囲を制限している場合に、前記日記入力領域に入力された日記情報の閲覧が許可されている他のユーザのリストを前記ディスプレイに表示させる機能と、
前記ＳＮＳサーバを使用して提供されるＳＮＳサービスの利用を止めるための処理を開始する機能と、
前記止めるための処理の過程において、前記認証されたユーザに、前記リストに含まれる他のユーザのなかからメッセージを残すべき他のユーザを選択させる機能と、
選択された他のユーザに対するメッセージ情報が入力されるべきメッセージ入力領域を含むメッセージ編集画面を前記ディスプレイに表示させる機能と、を前記ユーザ端末に実現させることを特徴とするコンピュータプログラム。
【発明の詳細な説明】
【技術分野】
【０００１】
本発明は、ＳＮＳサーバからネットワークを介してユーザ端末のウェブブラウザに送信されるコンピュータプログラムに関する。
【背景技術】
【０００２】
ＳＮＳ（Social Network Service）が知られている（例えば、特許文献１参照）。
【０００３】
ＳＮＳサービスのウェブサイトにログインすると、通常、そのＳＮＳサービスにおいて自分と友人関係を結んでいる他のユーザのリストが表示される。株式会社ミクシィが提供するＳＮＳサービスにおいては「マイミクシィ」と称されるものである。
【先行技術文献】
【特許文献】
【０００４】
【特許文献１】特開２００８−２６９４７７号公報
【発明の概要】
【発明が解決しようとする課題】
【０００５】
一般的に、ＳＮＳサービスにおいて、ユーザ間の友人関係はいずれか一方からの申請により解消することができる。これは、他方のユーザからみると一方的に友人関係を解消されたと言える状況であり、場合によっては他方のユーザにとまどいと怒りを与えうる。しかしながら、双方の合意に基づかないと友人関係を解消できないとすると、友人関係を結ぶ際のハードルが高くなりすぎ、ＳＮＳの理念に反することになりかねない。そこで、上記の状況が生じうることには目をつぶって一方的な友人関係の解消を許しているのがＳＮＳサービスの現状である。
【０００６】
友人関係にある一方のユーザがその友人関係の解消を申請した場合、他方のユーザが次にログインしたとき、他方のユーザは自己の友人のリストに一方のユーザを見つけることができなくなる。このようにして他方のユーザは一方のユーザが自分との友人関係を解消したことを知る。ところで、一方のユーザがＳＮＳサービスを何らかの理由で退会した場合にも同様のことが起こる。すなわち、他方のユーザの友人のリストから一方のユーザが消去される。
【０００７】
すなわち、従来では、一方のユーザが友人関係を解消した場合でも退会した場合でも、他方のユーザ側で発生する事象は同じである。したがって、他方のユーザの友人のリストから一方のユーザが消えた場合、それが実際には退会によるものであっても、他方のユーザは一方のユーザが友人関係を一方的に解消したと思いこむことがある。これはユーザ間の軋轢を増長しうる。
【０００８】
本発明はこうした課題に鑑みてなされたものであり、その目的は、ユーザ間の軋轢を低減しうるＳＮＳサービスを実現する技術の提供にある。
【課題を解決するための手段】
【０００９】
本発明のある態様はコンピュータプログラムに関する。このコンピュータプログラムは、ＳＮＳサーバからネットワークを介してユーザ端末のウェブブラウザに送信されるコンピュータプログラムであって、ユーザＩＤおよびパスワードの入力を促すログイン画面をユーザ端末のディスプレイに表示させる機能と、ログイン画面に対して入力されたユーザＩＤおよびパスワードをＳＮＳサーバにネットワークを介して送信する機能と、ＳＮＳサーバにおいて送信されたユーザＩＤおよびパスワードの認証が成功した場合、認証されたユーザの日記情報が入力されるべき日記入力領域を含む日記編集画面をディスプレイに表示させる機能と、認証されたユーザが日記入力領域に入力された日記情報の公開範囲を制限している場合に、日記入力領域に入力された日記情報の閲覧が許可されている他のユーザのリストをディスプレイに表示させる機能と、リストに含まれる他のユーザのなかにＳＮＳサーバを使用して提供されるＳＮＳサービスの利用を止めた他のユーザがいる場合、その止めた他のユーザに関する情報を認証されたユーザに通知する機能と、をユーザ端末に実現させる。
【００１０】
本発明の別の態様はコンピュータプログラムに関する。このコンピュータプログラムは、ＳＮＳサーバからネットワークを介してユーザ端末のウェブブラウザに送信されるコンピュータプログラムであって、ユーザＩＤおよびパスワードの入力を促すログイン画面をユーザ端末のディスプレイに表示させる機能と、ログイン画面に対して入力されたユーザＩＤおよびパスワードをＳＮＳサーバにネットワークを介して送信する機能と、ＳＮＳサーバにおいて送信されたユーザＩＤおよびパスワードの認証が成功した場合、認証されたユーザの日記情報が入力されるべき日記入力領域を含む日記編集画面をディスプレイに表示させる機能と、認証されたユーザが日記入力領域に入力された日記情報の公開範囲を制限している場合に、日記入力領域に入力された日記情報の閲覧が許可されている他のユーザのリストをディスプレイに表示させる機能と、ＳＮＳサーバを使用して提供されるＳＮＳサービスの利用を止めるための処理を開始する機能と、止めるための処理の過程において、認証されたユーザに、リストに含まれる他のユーザのなかからメッセージを残すべき他のユーザを選択させる機能と、選択された他のユーザに対するメッセージ情報が入力されるべきメッセージ入力領域を含むメッセージ編集画面をディスプレイに表示させる機能と、をユーザ端末に実現させる。
【００１１】
なお、以上の構成要素の任意の組み合わせや、本発明の構成要素や表現をコンピュータプログラム、コンピュータプログラムを格納した記録媒体などの間で相互に置換したものもまた、本発明の態様として有効である。
【図面の簡単な説明】
【００１２】
【図１】ＳＮＳサービスが提供されるＳＮＳシステムの構成を示す模式図である。
【図２】図２（ａ）、（ｂ）は、ＰＣ端末および携帯電話のそれぞれの機能および構成を示すブロック図である。
【図３】ウェブブラウザが実施の形態に係るコンピュータプログラムを実行することにより実現する画面遷移を示す図である。
【図４】退会手続きの過程において、ウェブブラウザが本実施の形態に係るコンピュータプログラムを実行することにより実現する画面遷移を示す図である。
【図５】強制退会が発生した場合の日記編集画面の代表画面図である。
【発明を実施するための形態】
【００１３】
以下、各図面に示される同一または同等の構成要素、部材、処理には、同一の符号を付するものとし、適宜重複した説明は省略する。
【００１４】
図１は、ＳＮＳサービスが提供されるＳＮＳシステム２の構成を示す模式図である。ＳＮＳサービス自体は公知であり、それを実現するシステムも既に存在する。したがって、ここでは主に本実施の形態に係る部分を説明し、他の部分の説明は省略する。
【００１５】
ＳＮＳサービスを利用しようとするユーザは、ＰＣ（Personal Computer）端末８または携帯電話１０からインターネットやＰＬＭＮ（Public Land Mobile Network）などのネットワーク６を介してＳＮＳサーバ４にアクセスする。ユーザはユーザＩＤとパスワードとをＳＮＳサーバ４に送信し、ＳＮＳサーバ４はそれを認証する。認証に成功するとＳＮＳサーバ４は、友人管理機能や日記管理機能やつぶやき機能などの様々な機能をユーザに提供する。
【００１６】
より具体的には、ＳＮＳサーバ４はネットワーク６を介して、ＨＴＭＬ（HyperText Markup Language）などのプログラミング言語により記述されたコンピュータプログラムを、ＰＣ端末８や携帯電話１０のウェブブラウザに送信する。ＳＮＳサーバ４と携帯電話１０、ＰＣ端末８との通信がＴＣＰ／ＩＰ（Transmission Control Protocol/Internet Protocol）にしたがう場合、コンピュータプログラムはパケットを介して伝送される。ＰＣ端末８や携帯電話１０のウェブブラウザは、受信したコンピュータプログラムを実行することで、上記機能を提供するための画面をディスプレイに表示させる。
【００１７】
図２（ａ）、（ｂ）は、ＰＣ端末８および携帯電話１０のそれぞれの機能および構成を示すブロック図である。ここに示す各ブロックは、ハードウエア的には、コンピュータのＣＰＵ（central processing unit）をはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００１８】
ＰＣ端末８は、通信部１２と、ウェブブラウザ１４と、ディスプレイ１５と、記憶装置１６と、を備える。通信部１２はネットワーク６との間でパケットなどのデータをやりとりする。ウェブブラウザ１４は、大略的には以下の３つの機能を有する。一つ目は、ＵＲＩ（Uniform Resource Identifier）・ＨＴＴＰ（HyperText Transfer Protocol）などに基づきＳＮＳサーバ４と通信してリソースを取得する機能である。二つ目は、取り寄せたリソースをその種類（ＨＴＭＬ、ＸＨＴＭＬ（Extensible HyperText Markup Language）、ＸＭＬ（Extensible Markup Language）、テキスト、画像など）に応じて解析するパーサ（parser）としての機能である。三つ目は、パーサの解析結果をもとに文字や画像を適切に配置し、あるいは文字のサイズを調整したり色を付けるなどして最終的に人間のための表示を行うレンダラ（renderer）としての機能である。
【００１９】
記憶装置１６はＲＡＭ（Random Access Memory）、ＲＯＭ（Read Only Memory）、ＨＤＤ（Hard Disk Drive）、ＳＳＤ（Solid State Drive）等であってもよい。記憶装置１６は、ウェブブラウザ１４によって使用されるキャッシュ領域１８を含む。ウェブブラウザ１４はキャッシュ機能を有する。キャッシュ機能は公知の機能であり、一度ネットワーク６から受信したデータをキャッシュ領域１８に保存しておき、再度利用する際にはネットワーク６を介さずキャッシュ領域１８のデータを利用する機能を含む。
【００２０】
携帯電話１０は、通信通話部２２と、ウェブブラウザ２４と、ディスプレイ２５と、記憶装置２６と、を備える。通信通話部２２は、通信部１２と同様の機能を有すると共に、電話網３２との間での着呼、発呼を制御する。ウェブブラウザ２４は、通信通話部２２が携帯電話１０への着呼を検知した場合に通信通話部２２から着呼を知らせる通知を受ける。それ以外の点では、ウェブブラウザ２４はウェブブラウザ１４と同様の機能を有する。記憶装置２６は記憶装置１６と同様に構成され、キャッシュ領域２８を含む。
【００２１】
図３は、ウェブブラウザ１４、２４が実施の形態に係るコンピュータプログラムを実行することにより実現する画面遷移を示す図である。本実施の形態に係るコンピュータプログラムは、ログイン画面用プログラム３６と、日記編集画面用プログラム４２と、を含む。
【００２２】
ユーザはウェブブラウザ１４、２４のＵＲＬ入力領域３４に所定のＵＲＬを入力する。ウェブブラウザ１４、２４は入力されたＵＲＬを含むリクエスト情報をネットワーク６に送信する。ＳＮＳサーバ４はネットワーク６を介してそのリクエスト情報を受け、ＨＴＭＬ等のプログラミング言語で記述されたログイン画面用プログラム３６をネットワーク６を介してウェブブラウザ１４、２４に送信する。
【００２３】
ウェブブラウザ１４、２４は受信したログイン画面用プログラム３６を実行することにより、以下の２つの機能を実現する。
機能１．ユーザＩＤおよびパスワードの入力を促すログイン画面３８をディスプレイ１５、２５に表示させる機能。
機能２．ログイン画面３８に対して入力されたユーザＩＤおよびパスワードを含むＩＤ＋パスワード情報４０を生成し、生成されたＩＤ＋パスワード情報４０をＳＮＳサーバ４にネットワーク６を介して送信する機能。
【００２４】
ＳＮＳサーバ４は、受信したＩＤ＋パスワード情報４０に含まれるユーザＩＤおよびパスワードの認証を行う。この認証が成功した場合、ＳＮＳサーバ４は、ＨＴＭＬ等のプログラミング言語で記述された日記編集画面用プログラム４２をネットワーク６を介してウェブブラウザ１４、２４に送信する。
【００２５】
ウェブブラウザ１４、２４は受信した日記編集画面用プログラム４２を実行することにより、以下の３つの機能を実現する。
機能１．日記編集画面４８をディスプレイ１５、２５に表示させる機能。日記編集画面４８は、認証されたユーザの日記情報が入力されるべき日記入力領域４４と、日記入力領域４４に入力された日記情報のＳＮＳサーバ４への送信指示を受け付ける送信指示領域すなわち送信ボタン４６と、を含む。
【００２６】
ＳＮＳサービス内ではユーザ間に友人関係を設定できる。友人関係となったユーザ同士は互いに相手の日記情報を閲覧することができる。ユーザは、自己の日記情報を友人にのみ公開するよう設定することができる。すなわち、あるユーザのＳＮＳサービスにおける友人は、あるユーザが日記情報の公開範囲を制限している場合に、あるユーザの日記情報の閲覧が許可されている他のユーザである。このようなＳＮＳサービスにおける友人関係自体は公知である。
【００２７】
機能２．認証されたユーザのＳＮＳサービスにおける友人のリスト（以下、友人リストと称す）をディスプレイ１５、２５に表示させる機能。この友人リストは日記編集画面４８とは別のウインドウ内に表示されてもよいし、日記編集画面４８内に表示されてもよい。例えば、日記編集画面４８は、認証されたユーザのＳＮＳサービスにおける友人のユーザＩＤのリストを表示する友人リスト領域５０を含む。
【００２８】
機能３．友人リストに含まれる友人のなかにＳＮＳサービスの利用を止めた友人がいる場合、その止めた友人に関する情報を認証されたユーザに通知する機能。（以下、ＳＮＳサービスの利用を止めることを、ＳＮＳサービスを退会すると称す。）ユーザがＳＮＳサービスを退会した場合、そのユーザのユーザＩＤおよびパスワードがＳＮＳサーバ４から消去されてもよいし、後日の再登録の際に使用できるようユーザＩＤおよびパスワードは残されているがそのユーザのログインは許可されなくてもよい。
【００２９】
ＳＮＳサービスでは、少なくとも以下の３つの場合に、少なくともひとつの友人のユーザＩＤが友人リスト領域５０に表示されなくなる。
場合１．認証されたユーザが友人リストに含まれる友人との友人関係の解消をＳＮＳサービスに通知した場合。
場合２．友人リストに含まれる友人が認証されたユーザとの友人関係の解消をＳＮＳサービスに通知した場合。
場合３．友人リストに含まれる友人がＳＮＳサービスを退会した場合。
【００３０】
日記編集画面４８では、場合３と場合１、２とが区別される。例えば、友人リストに含まれる友人がＳＮＳサービスを退会した場合、その退会後所定の期間友人リスト領域５０はその退会した友人のユーザＩＤとＳＮＳサービス退会を示す情報とを対応付けて表示する。その期間が満了した後は友人リスト領域５０からその退会した友人のユーザＩＤが消去される。図３の例では、認証されたユーザの友人であるユーザＩＤ「Ｃさん」が退会した場合、友人リスト領域５０におけるユーザＩＤ「Ｃさん」の表示の隣に「（退会）」と表示される。これにより、認証されたユーザに、ユーザＩＤ「Ｃさん」がＳＮＳサービスを退会したことが通知される。
【００３１】
また、例えば、日記編集画面４８は、ＳＮＳサービスからのメッセージを表示するシステム情報表示領域５２を含んでもよい。システム情報表示領域５２は、友人リストに含まれる友人がＳＮＳサービスを退会した場合、その旨を表示してもよい。さらに、システム情報表示領域５２は、退会した友人から取得されＳＮＳサーバ４に保持されている、退会した友人がＳＮＳサービスを退会した理由を示す退会理由情報を表示してもよい。これにより、認証されたユーザに、友人がＳＮＳサービスを退会した理由が通知される。
【００３２】
ユーザは、ＳＮＳサービスを退会する際に選択形式により退会理由情報を選択してもよいし、退会理由情報を送るべき友人を選択して個別に退会理由情報を入力してもよい。
図４は、退会手続きの過程において、ウェブブラウザ１４、２４が本実施の形態に係るコンピュータプログラムを実行することにより実現する画面遷移を示す図である。本実施の形態に係るコンピュータプログラムはさらに、退会通知選択用プログラム５４と、メッセージ入力画面用プログラム５６と、を含む。
【００３３】
ユーザは、ＳＮＳサービスを退会したい場合、日記編集画面４８に含まれる不図示の退会手続き開始ボタンをクリックする。ウェブブラウザ１４、２４は、退会手続き開始ボタンがクリックされると、退会処理を開始するための退会リクエスト情報をネットワーク６に送信する。ＳＮＳサーバ４はネットワーク６を介してその退会リクエスト情報を受け、ＨＴＭＬ等のプログラミング言語で記述された退会通知選択用プログラム５４をネットワーク６を介してウェブブラウザ１４、２４に送信する。
【００３４】
ウェブブラウザ１４、２４は受信した退会通知選択用プログラム５４を実行することにより、以下の機能を実現する。
機能．退会処理の過程において、認証されたユーザに、友人リストに含まれる友人のなかから退会メッセージを残すべき友人を選択させる機能。この機能により、退会メッセージを残すべき友人の選択を促す退会通知選択画面５８がディスプレイ１５、２５に表示される。退会通知選択画面５８は、認証されたユーザの友人のユーザＩＤのリストを表示し、かつ、そのなかで退会メッセージを残すべき友人の選択を受け付ける友人選択領域６０を有する。
【００３５】
ユーザが友人選択領域６０において友人を選択し、ＯＫボタンを押し下げると、ウェブブラウザ１４、２４は選択結果をネットワーク６を介してＳＮＳサーバ４に送信する。ＳＮＳサーバ４は、その選択結果を受信すると、ＨＴＭＬ等のプログラミング言語で記述されたメッセージ入力画面用プログラム５６をネットワーク６を介してウェブブラウザ１４、２４に送信する。
【００３６】
ウェブブラウザ１４、２４は受信したメッセージ入力画面用プログラム５６を実行することにより、以下の機能を実現する。
機能．選択された友人に対する退会メッセージ情報が入力されるべき退会メッセージ入力領域６２を含む退会メッセージ編集画面６４をディスプレイ１５、２５に表示させる機能。
【００３７】
ＳＮＳサービスには通常利用規約が存在し、ユーザはＳＮＳサービスに登録するとき、利用規約に同意することが求められる。利用規約には通常、他のユーザを不快にする行為を行うユーザはＳＮＳサービス側によって強制的に退会させられる旨が記載されている。
【００３８】
図５は、強制退会が発生した場合の日記編集画面６６の代表画面図である。友人リストに含まれる友人がＳＮＳサービス側によって強制的に退会させられた場合、その退会後所定の期間友人リスト領域６８はその友人のユーザＩＤと、強制的に退会させられたことを示す情報と、を対応付けて表示する。その期間が満了した後は友人リスト領域６８からその強制退会の友人のユーザＩＤが消去される。図５の例では、認証されたユーザの友人であるユーザＩＤ「Ｄさん」が強制的に退会させられた場合、友人リスト領域６８におけるユーザＩＤ「Ｄさん」の表示の隣に「（強制退会）」と表示される。これにより、認証されたユーザに、ユーザＩＤ「Ｄさん」がＳＮＳサービスを強制退会になったことが通知される。
【００３９】
また、例えば、日記編集画面６６のシステム情報表示領域７０は、友人リストに含まれる友人がＳＮＳサービス側によって強制的に退会させられた場合、その旨を表示してもよい。これらにより、認証されたユーザに、友人がＳＮＳサービスを強制退会になったことが通知される。
【００４０】
本実施の形態に係るコンピュータプログラムによると、ユーザは友人がＳＮＳサービスを退会した場合にそれを知ることができる。特にシステム情報表示領域により友人の退会が通知される場合、ユーザは、ログイン時に表示される友人のリストからある友人が消えている場合でも、それがその友人がＳＮＳサービスを退会したことによるものなのかそうでないのかをすぐに知ることができる。特に、ユーザは、それが退会によるものなのか、その友人が自分との友人関係を解消したことによるものなのかを知ることができる。これにより、友人関係にあるユーザの一方が退会したときに、他方のユーザが一方的に友人関係を解消されたと思いこむような誤解が防がれる。その結果、退会時の配慮にも富み、ユーザの心理的負担を軽減できるＳＮＳサービスが提供される。
【００４１】
また、本実施の形態に係るコンピュータプログラムによると、ユーザの友人がＳＮＳサービスを退会した場合、ユーザはその友人が退会した理由を知ることができる。したがって、ユーザは友人の退会について納得しやすくなる。また、退会する友人のほうは退会するまで交流のあった友人への義理をある程度果たすことができる。
【００４２】
また、本実施の形態に係るコンピュータプログラムによると、ユーザの友人がＳＮＳサービス側によって強制退会となった場合、そのことを知ることができる。したがって、ユーザはその情報を今後の参考にすることができる。すなわち、ユーザは強制退会となった友人のとの過去のやりとりを見直して重要な個人情報等が漏れていないか確認できる。また、別のＳＮＳサービスでその強制退会となった友人とコンタクトがある場合は、その友人との接触を断つことができる。
【００４３】
また、本実施の形態に係るコンピュータプログラムによると、退会時に友人に退会メッセージを残すことができる。したがって、例えば特に親しかった友人には特別な退会メッセージを残し、その友人ががっかりする度合いを低減できる。
【００４４】
以上、実施の形態に係るコンピュータプログラムについて説明した。この実施の形態は例示であり、その各構成要素や各処理の組み合わせにいろいろな変形例が可能なこと、またそうした変形例も本発明の範囲にあることは当業者に理解されるところである。
【００４５】
実施の形態では、ユーザが携帯電話１０を使用してＳＮＳを利用する場合について説明したが、これに限られず、ユーザは通話機能とウェブブラウザとを有する端末を使用してＳＮＳを利用してもよい。
【符号の説明】
【００４６】
２  ＳＮＳシステム、  ４  ＳＮＳサーバ、  ６  ネットワーク、  ８  ＰＣ端末、  １０  携帯電話。
【図１】
2013084120.tif 000003
【図２】
2013084120.tif 000004
【図３】
2013084120.tif 000005
【図４】
2013084120.tif 000006
【図５】
2013084120.tif 000007
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
ＳＮＳサーバからネットワークを介してユーザ端末のウェブブラウザに送信されるコンピュータプログラムであって、
ユーザＩＤおよびパスワードの入力を促すログイン画面を前記ユーザ端末のディスプレイに表示させる機能と、
ログイン画面に対して入力されたユーザＩＤおよびパスワードを前記ＳＮＳサーバにネットワークを介して送信する機能と、
前記ＳＮＳサーバにおいて送信されたユーザＩＤおよびパスワードの認証が成功した場合、認証されたユーザの日記情報が入力されるべき日記入力領域を含む日記編集画面を前記ディスプレイに表示させる機能と、
前記認証されたユーザが前記日記入力領域に入力された日記情報の公開範囲を制限している場合に、前記日記入力領域に入力された日記情報の閲覧が許可されている他のユーザのリストを前記ディスプレイに表示させる機能と、
前記リストに含まれる他のユーザのなかに前記ＳＮＳサーバを使用して提供されるＳＮＳサービスの利用を止めた他のユーザがいる場合、その止めた他のユーザに関する情報を前記認証されたユーザに通知する機能と、を前記ユーザ端末に実現させることを特徴とするコンピュータプログラム。
【請求項２】
前記通知する機能は、前記止めた他のユーザから取得され前記ＳＮＳサーバに保持されている、前記止めた他のユーザが前記ＳＮＳサービスの利用を止めた理由を示す理由情報を前記認証されたユーザに通知する機能を含むことを特徴とする請求項１に記載のコンピュータプログラム。
【請求項３】
前記通知する機能は、前記止めた他のユーザが、前記ＳＮＳサービス側によって強制的に前記ＳＮＳサービスの利用を止めさせられた他のユーザである場合、その旨を前記認証されたユーザに通知する機能を含むことを特徴とする請求項１または２に記載のコンピュータプログラム。